(57)【要約】【課題】自動走行のズレを低減すること。【解決手段】走行車体２と、走行車体２の位置情報を取得する位置情報取得装置３００と、位置情報取得装置３００により取得された走行車体２の位置情報と、目標ラインの位置情報とに基づいて、走行車体２を自動走行させる制御部４００と、を備え、目標ラインの位置情報を得るための基準ラインの位置情報は、自動走行の準備段階での手動走行工程中に取得され、取得された基準ラインの位置情報に基づいて、以降の自動走行工程における目標ラインの位置情報を決定し、決定された目標ラインの位置情報に基づいて自動走行している際に新たに基準ラインの位置情報を取得し、新たに取得した基準ラインの位置情報に基づいて、以降の自動走行工程における目標ラインの位置情報を決定する、ことを特徴とするロボット乗用田植機１である。【選択図】図３
2020000125.tif 000002
【特許請求の範囲】
【請求項１】
車体（２）と、
前記車体（２）の位置情報を取得する位置情報取得装置（３００）と、
前記位置情報取得装置（３００）により取得された前記位置情報と、所定の位置情報を含む走行経路情報とに基づいて、前記車体を自動走行させる制御部（４００）と、を備え、
前記走行経路情報を得るための基準位置情報は、前記自動走行の準備段階での手動走行工程中に取得され、前記取得された前記基準位置情報に基づいて、以降の自動走行工程における前記走行経路情報を決定し、前記決定された前記走行経路情報に基づいて自動走行している際に新たに前記基準位置情報を取得し、前記新たに取得した基準位置情報に基づいて、以降の自動走行工程における前記走行経路情報を決定する、ことを特徴とする作業車両。
【請求項２】
前記基準位置情報は、前記車体（２）が直進走行開始位置から第１距離を通過したときに取得される第１基準位置情報と、前記車体（２）が直進走行終了位置から第２距離手前を通過したときに取得される第２基準位置情報とに基づいて決定する、ことを特徴とする請求項１記載の作業車両。
【請求項３】
前記制御部（４００）は、前記手動走行工程中に取得された前記基準位置情報に基づいて、次の直進の自動走行工程における前記走行経路情報を決定し、前記決定された前記走行経路情報に基づいて自動走行している際に新たに前記基準位置情報を取得し、前記新たに取得した基準位置情報に基づいて、更に次の直進の自動走行工程における前記走行経路情報を決定する構成であり、
隣接する前記直進の自動走行工程間の旋回位置情報は、手前の前記直進の自動走行工程において取得された前記第２基準位置情報に基づいて決定される、ことを特徴とする請求項２記載の作業車両。
【請求項４】
前記圃場の外での走行速と、前記圃場での作業速との切り替えを行う副変速切替装置（１５）を備え、
前記基準位置情報は、前記副変速切替装置（１５）が前記作業速に切り替えられていることを条件として取得される、ことを特徴とする請求項１乃至３の何れか一つに記載の作業車両。
【発明の詳細な説明】
【技術分野】
【０００１】
本発明は、作業車両に関する。
【背景技術】
【０００２】
従来、圃場で苗の植付け等の作業を行う際に用いる苗移植機等の作業車両には、ＧＰＳを搭載し操舵部材を直進位置に保持して自動直進走行を行ない、機体の進行方向を自動的に修正することができる自動操舵装置が設けられている（例えば、特許文献１参照）。
【先行技術文献】
【特許文献】
【０００３】
【特許文献１】特開２０１６−２４５４１号公報
【発明の概要】
【発明が解決しようとする課題】
【０００４】
しかしながら、従来の作業車両では、基準線取得は最初の一回のみで、衛星が動くため一時的にズレが生じるという問題があった。
【０００５】
本発明は、上述した従来の作業車両の課題に鑑みて、ズレを低減することが出来る作業車両を提供することを目的とする。
【課題を解決するための手段】
【０００６】
第１の本発明は、
車体（２）と、
前記車体（２）の位置情報を取得する位置情報取得装置（３００）と、
前記位置情報取得装置（３００）により取得された前記位置情報と、所定の位置情報を含む走行経路情報とに基づいて、前記車体を自動走行させる制御部（４００）と、を備え、
前記走行経路情報を得るための基準位置情報は、前記自動走行の準備段階での手動走行工程中に取得され、前記取得された前記基準位置情報に基づいて、以降の自動走行工程における前記走行経路情報を決定し、前記決定された前記走行経路情報に基づいて自動走行している際に新たに前記基準位置情報を取得し、前記新たに取得した基準位置情報に基づいて、以降の自動走行工程における前記走行経路情報を決定する、ことを特徴とする作業車両である。
【０００７】
第２の本発明は、
前記基準位置情報は、前記車体（２）が直進走行開始位置から第１距離を通過したときに取得される第１基準位置情報と、前記車体（２）が直進走行終了位置から第２距離手前を通過したときに取得される第２基準位置情報とに基づいて決定する、ことを特徴とする上記第１の本発明の作業車両である。
【０００８】
第３の本発明は、
前記制御部（４００）は、前記手動走行工程中に取得された前記基準位置情報に基づいて、次の直進の自動走行工程における前記走行経路情報を決定し、前記決定された前記走行経路情報に基づいて自動走行している際に新たに前記基準位置情報を取得し、前記新たに取得した基準位置情報に基づいて、更に次の直進の自動走行工程における前記走行経路情報を決定する構成であり、
隣接する前記直進の自動走行工程間の旋回位置情報は、手前の前記直進の自動走行工程において取得された前記第２基準位置情報に基づいて決定される、ことを特徴とする上記第２の本発明の作業車両である。
【０００９】
第４の本発明は、
前記圃場の外での走行速と、前記圃場での作業速との切り替えを行う副変速切替装置（１５）を備え、
前記基準位置情報は、前記副変速切替装置（１５）が前記作業速に切り替えられていることを条件として取得される、ことを特徴とする上記第１乃至第３の何れか一つの本発明の作業車両である。
【発明の効果】
【００１０】
第１の本発明によれば、自動走行の準備段階での手動走行工程中に基準位置情報を取得した後、自動走行している際に新たに基準位置情報を取得することにより、自動走行のズレを低減することが出来る。
【００１１】
また、基準位置情報は、自動的に取得されるので省力化につながる。
【００１２】
第２の本発明によれば、第１の本発明の効果に加えて、車体の走行状態が安定した位置で基準位置情報を自動的に取得出来るため、基準位置情報の精度が向上する。
【００１３】
第３の本発明によれば、第２の本発明の効果に加えて、自動走行している際、直進の自動走行工程での自動走行を繰り返す毎に新たに基準位置情報を取得することにより、自動走行のズレを更に低減することが出来る。
【００１４】
第４の本発明によれば、第１乃至第３の何れか一つの本発明の効果に加えて、副変速装置は、圃場外において作業者により「作業速」に切り替えられることがあり得ないので、「作業速」に切り替えられていることを条件として、基準位置情報を取得する構成としたことで、基準位置情報を圃場外において誤取得することを防止出来る。
【図面の簡単な説明】
【００１５】
【図１】本発明にかかる実施の形態におけるロボット乗用田植機の左側面図
【図２】本実施の形態におけるロボット乗用田植機の平面図
【図３】本実施の形態のロボット乗用田植機における制御部と各種装置及び各種スイッチ等との接続関係を示すブロック図
【図４】本実施の形態の圃場におけるロボット乗用田植機の走行経路や、制御部の動作等について説明するための圃場の平面模式図
【図５】（ａ）：本実施の形態における乗用田植機の機体の左側に設けられた予備苗置台に取り付けられた空箱レールを機体の左側から見た側面図、（ｂ）：図５（ａ）に示す空箱レールを機体の前側から見た正面図
【発明を実施するための形態】
【００１６】
以下、本発明の作業車両の一実施の形態にかかる８条植えのロボット乗用田植機について、図面を用いて説明する。
【００１７】
図１及び図２は本実施の形態にかかるロボット乗用田植機の左側面図と平面図である。
【００１８】
本実施の形態のロボット乗用田植機１は、図１、図２に示す様に、走行車体２の後側に昇降リンク装置３０を介して植付装置５０が昇降可能に装着され、走行車体２の後部上側に施肥装置３のホッパー３ａが設けられている。昇降リンク装置３０は、上側リンクアーム３１と、左右一対の下側リンクアーム３２とを備えた平行リンクである。
【００１９】
走行車体２は、駆動輪である左右一対の前輪４、４及び左右一対の後輪５、５を備えた四輪駆動車両ある。
【００２０】
また、トランスミッションケース６の背面部に車体メインフレーム７の前端部が固着されており、他方、その車体メインフレーム７の後端左右両端部には、昇降リンク装置３０を回動可能に支持する左右一対のリンク支持ステー１０が固定されている。
【００２１】
エンジン２０は車体メインフレーム７の上に搭載されており、該エンジン２０の回転動力が、ベルト伝動装置１２及びＨＳＴ（静油圧式無段階変速機）１３を介してトランスミッションケース６に伝達される。トランスミッションケース６に伝達された回転動力は、トランスミッションケース６内の変速機構により変速された後、走行動力と外部取出動力に分離して取り出される。そして、走行動力は、前輪４、４、及び左右後輪５、５を駆動する。
【００２２】
また、ロボット乗用田植機１で圃場外（例えば、路上）を走行する場合の走行速と、圃場内を走行する場合の作業速との切り替えを行う副変速レバー１５（図１参照）が、操縦座席２２の左側に設けられている。また、この副変速レバー１５の切替位置を検知する副変速レバー検知スイッチ１６（図３参照）が副変速レバー１５に隣接配置されており、その検知結果が後述する制御部４００に送信される構成である。
【００２３】
また、トランスミッションケース６から取出された外部取出動力は、植付クラッチ（図示省略）を介して植付伝動軸２１によって植付装置５０へ伝動される。
【００２４】
また、図１、図２に示す様に、植付装置５０は、第１苗植付部５５ａ、第２苗植付部５５ｂ、第３苗植付部５５ｃ、第４苗植付部５５ｄを備え、更にそれぞれの苗植付部には、苗を植付ける爪を有する植付具５１が、左右両側に２つずつ回動可能に設けられ、合計８条の苗が圃場に植え付けられる構成である。
【００２５】
また、図１、図２に示す通り、植付装置５０の下部には、中央位置と、左右両側の位置に、それぞれフロート５３が設けられている。これらフロート５３が圃場の泥面上を整地しつつ滑走し、その整地跡に、植付具５１により苗が圃場に植え付けられる。
【００２６】
また、植付装置５０の下部には、平面視で略門型形状に配置されたローター４１を、左側後輪ギヤケース１８Ｌから取り出される動力で、自在継手４０ａを介して回動させることにより、圃場面を整地する整地ローター４０が設けられている。
【００２７】
また、整地ローター４０は、植付装置５０に対して、昇降モータ（図示省略）の作動により昇降可能に取り付けられており、ローター４１の回動の入り切りは、左側後輪ギヤケース１８Ｌに設けられた所定のクラッチ（図示省略）の入り切り動作によって行われる。
【００２８】
また、操縦座席２２の前方には操縦ハンドル２４が設けられている。操縦ハンドル２４の右側又は左側には、走行車体２の前進走行と後進走行の切り替え及び走行速度などを設定するＨＳＴ操作レバー（図示省略）、植付装置５０の昇降及び植付作業の入切を操作する植付作業レバー１４（図２参照）等の各種レバーが設けられている。また、植付作業レバー１４による操作信号は、後述する制御部４００に送信される構成である。
【００２９】
なお、本実施の形態のロボット乗用田植機１では、走行車体２が旋回したり、後進走行した場合には、それらの動作に連動して昇降リンク装置３０が上昇することにより植付装置５０が上昇すると共に植付作業が停止される構成である。
【００３０】
また、操縦ハンドル２４の下方には、各種操作ボタン（図示省略）と、後述する自動運転モードの入り切りを行うための自動運転モード入／切スイッチ６１（図３参照）と、各種メータや表示部を配置したメータパネル６０（図２参照）が設けられている。
【００３１】
また、本実施の形態のロボット乗用田植機１は、図３に示す様に、送受信装置７０と、自動操舵装置２００と、位置情報取得装置３００等と、その他、各種センサ等を備えており、これらは後述する制御部４００（図３参照）に電気的に接続されている。
【００３２】
図３は、ロボット乗用田植機１における制御部４００と各種装置及び各種センサ等との接続関係を示すブロック図である。
【００３３】
送受信装置７０は、圃場の畦に居て、無人運転中のロボット乗用田植機１による自動植付作業を監視している作業者が、必要に応じて、作業者が携帯しているリモコン装置７１（図３）を用いて当該ロボット乗用田植機１を遠隔操作する際の信号の送受信を行うための装置である。
【００３４】
自動操舵装置２００は、操縦ハンドル２４を自動で操作して、走行車体２を直進方向に維持したり、旋回させたりすることが可能な構成である。
【００３５】
また、自動操舵装置２００は、任意の回転力を自動で操縦ハンドル２４に付与することにより、操縦ハンドル２４を回転させる操舵モータ２１０と、操縦ハンドル２４の回転角度（ハンドル切れ角）を検知するハンドルポテンショメータ２２０と、を有している。
【００３６】
また、位置情報取得装置３００は、ＧＮＳＳ（Ｇｌｏｂａｌ  Ｎａｖｉｇａｔｉｏｎ  Ｓａｔｅｌｌｉｔｅ  Ｓｙｓｔｅｍ）に基づいて地球上でのロボット乗用田植機１の位置情報（即ち、座標情報）を取得する構成であり、人工衛星からの信号を所定間隔で受信する為の受信アンテナ３１０を備え、位置情報取得装置３００により取得された位置情報は、制御部４００に送られる構成である。
【００３７】
制御部４００に送られた位置情報や、後述する、当該位置情報に基づいて得られた圃場における自動植付作業中においてロボット乗用田植機１が走行すべき目標ラインの位置情報（位置座標）等は、メモリ部４１０（図３参照）に記録可能に構成されている。また、目標ラインの位置情報等は、制御部４００における演算部（図示省略）により算出される。
【００３８】
また、受信アンテナ３１０は、図１、図２に示す通り、正面視で門型のアンテナ固定部材３２０の上面中央部に固定されており、アンテナ固定部材３２０の左右の下端部３２１Ｌ、３２１Ｒは、フロアステップ２３の前端部左右両側面に固定されている。
【００３９】
なお、本実施の形態の走行車体２は、本発明の車体の一例にあたり、本実施の形態の副変速レバー１５は、本発明の副変速切替装置の一例にあたる。また、本実施の形態の位置情報取得装置３００は、本発明の位置情報取得装置の一例にあたり、本実施の形態の制御部４００は、本発明の制御部の一例にあたる。
【００４０】
以上の構成において、本実施の形態のロボット乗用田植機１を用いた自動運転の動作について、主として図４を用いて説明する。
【００４１】
まず、図４を用いて、ロボット乗用田植機１の走行経路、及び作業手順についての概要を説明する。
【００４２】
図４は、圃場におけるロボット乗用田植機１の走行経路や、制御部４００の動作等について説明するための圃場の平面模式図である。
【００４３】
本実施の形態の圃場５００は、四方を第１辺５０１、第２辺５０２、第３辺５０３、及び第４辺５０４で囲まれた、略長方形状の圃場である。
【００４４】
なお、図４には、第１辺５０１に平行なＹ座標軸とそれに直交するＸ座標軸を示した。
【００４５】
本実施の形態では、まず、ロボット乗用田植機１に作業者が乗車して、副変速レバー１５（図１参照）を「作業速」に切り替えて、自動運転モード入/切スイッチ６１を「入り」にして、作業者が操縦ハンドル２４を操作することで、圃場５００の第１辺５０１に沿って、最初の植付け作業工程（第１工程Ｌ１とも呼ぶ）において第２辺５０２側から第４辺５０４側に向けてマニュアル走行しながら、植付け作業を行うと共に、位置情報取得装置３００により取得された実際の走行軌跡の位置情報を制御部４００を介してメモリ部４１０に格納する。
【００４６】
なお、本実施の形態では、マニュアル走行であるか自動直進走行であるかを問わず、圃場５００の第２辺５０２側と第４辺５０４側との間を往復しながら行う一連の植付作業における、往路での植付作業や復路での植付作業のそれぞれを、個別の作業工程（単に、工程とも呼ぶ）として捉えるものとする。
【００４７】
ここで、制御部４００は、副変速レバー検知スイッチ１６（図３参照）の検知結果が「作業速」であることを示しており、自動運転モード入/切スイッチ６１が「入り」状態であり、且つ、植付作業レバー１４による植付作業「入り」の操作信号を受信したことをトリガーとして、位置情報取得装置３００による位置情報の取得を開始させる。また、制御部４００は、自動運転モード入/切スイッチ６１が「入り」状態であり、且つ、植付作業レバー１４による植付作業「切り」の操作信号を受信したことをトリガー（トリガー信号）として、位置情報取得装置３００による位置情報の取得を停止させる。
【００４８】
ここで、副変速レバー検知スイッチ１６（図３参照）の検知結果が「作業速」であることを、位置情報取得装置３００による位置情報の取得開始の条件の一つとしたことにより、基準位置情報を圃場外において誤取得することを防止出来る。
【００４９】
なお、植付作業レバー１４による植付作業の「入り切り」の切り替えは、作業者がロボット乗用田植機１に乗車しない場合でも、制御部４００からの指令により自動で行うことが出来る構成である。その場合は、当該指令がトリガー信号となって、位置情報取得装置３００による位置情報の取得が開始又は停止される。例えば、作業者がマニュアル走行を行う、最初の植付け作業工程（第１工程Ｌ１）のみ、作業者がロボット乗用田植機１に乗車し、その後の工程は、作業者はロボット乗用田植機１に乗車せずに、自動で植付作業を行いながら直進走行を行い、自動旋回も可能な構成である。
【００５０】
即ち、本実施の形態では、制御部４００は、上述した最初の植付け作業工程（図４の第１工程Ｌ１参照）においてメモリ部４１０に格納された実際の走行軌跡の位置情報を利用して、後述する第１基準位置ＰＡ１での位置情報と第２基準位置ＰＢ１での位置情報とを取得して、その取得した位置情報を利用して、第１工程Ｌ１における、後述するＡ１点（図４の符号Ａ１参照）と、Ｂ１点（図４の符号Ｂ１参照）の位置情報を決定し、その決定した位置情報を利用して、Ａ１点とＢ１点との２点を通る、第１工程Ｌ１での直線の基準ラインの位置情報を取得し、メモリ部４１０に格納する。
【００５１】
更に、制御部４００は、第１工程Ｌ１での直線の基準ラインの位置情報（例えば、Ａ１点と、Ｂ１点の位置情報）から、次の植付け作業工程（即ち、第２工程Ｌ２）における、後述する直線の目標ラインの位置情報を算出し決定して、メモリ部４１０に格納する。
【００５２】
この様にして決定された目標ラインの位置情報に基づいて、制御部４００は、自動操舵装置２００等を制御して第２工程Ｌ２を自動走行させながらメモリ部４１０に格納した実際の走行軌跡の位置情報を利用して、第２工程Ｌ２における第１基準位置（図４の符号ＰＡ２参照）での位置情報と第２基準位置（図４の符号ＰＢ２参照）での位置情報とを新たに取得して、その新たに取得した位置情報を利用して、第２工程Ｌ２における、Ａ２点（図４の符号Ａ２参照）と、Ｂ２点（図４の符号Ｂ２参照）の位置情報を決定し、その決定した位置情報を利用して、Ａ２点とＢ２点との２点を通る、第２工程Ｌ２での直線の基準ラインの位置情報を新たに取得し、メモリ部４１０に格納する。
【００５３】
更に、制御部４００は、第２工程Ｌ２での直線の基準ラインの位置情報（例えば、Ａ２点と、Ｂ２点の位置情報）から、次の植付け作業工程（即ち、第３工程Ｌ３）における、直線の目標ラインの位置情報を算出し決定して、メモリ部４１０に格納する。
【００５４】
なお、制御部４００は、第ｎ工程Ｌｎ（図４参照）においても上記と同様の制御を行う。
【００５５】
上述した様に、本実施の形態では、基準ラインの位置情報を植付け作業工程ごとに取得し、そのたびに、その植付け作業工程の次の工程における目標ラインの位置情報を決定する。
【００５６】
これにより、基準ラインのズレを最小限に抑えることが出来て、次の植付け作業工程における目標ラインもズレを少なく出来ると共に、後述する自動旋回工程における条合わせも実施出来る。
【００５７】
また、時間の経過とともに基準ラインにズレが生じたり、雲等の影響で基準ラインのズレが生じる場合もあるので、上記の様に、植付け作業工程ごとに（或いは、自動走行中のどこかの植付け作業工程で）基準ラインを新たに取得することにより、基準ラインのズレを最小限に抑えることが出来て、次の植付け作業工程における目標ラインもズレを少なく出来ると共に、後述する自動旋回工程における条合わせも実施出来る。
【００５８】
次に、図３、図４を用いて、主として制御部４００の動作を更に具体的に説明する。
【００５９】
まず、第１工程Ｌ１における第１基準位置ＰＡ１での位置情報と第２基準位置ＰＢ１での位置情報とを取得して、その取得した位置情報を利用して、第１工程Ｌ１におけるＡ１点（図４の符号Ａ１参照）とＢ１点（図４の符号Ｂ１参照）の位置情報を決定する動作について、具体的に説明する。
【００６０】
即ち、制御部４００は、上述したトリガー信号により、各工程において、位置情報取得装置３００による実際の走行軌跡の位置情報の取得を自動的に開始し自動的に停止するまでの間の当該位置情報を、上述した通りメモリ部４１０に格納している。
【００６１】
なお、ロボット乗用田植機１が走行する各工程の内、第１工程Ｌ１では、マニュアル走行が行われ、それ以降の各工程では、制御部４００により、直線の目標ラインに沿った自動直進走行が実施される。
【００６２】
制御部４００は、例えば、メモリ部４１０に格納されている第１工程Ｌ１における実際の走行軌跡の位置情報のデータの中から、植付作業開始によるトリガー信号を受け付けた地点の位置からＹ座標軸（図４参照）の負の方向に３ｍ走行した地点の位置を第１基準位置ＰＡ１として特定してその特定した地点の位置情報のデータを抽出し、その抽出したデータを利用して、第１工程Ｌ１における基準ラインを決定するために必要となるＡ１点（図４の符号Ａ１参照）とＢ１点（図４の符号Ｂ１参照）の内の、Ａ１点の位置情報を決定する。
【００６３】
ここで、Ａ１点の位置情報のデータの内のＸ座標軸（図４参照）に対応する座標値は、第１基準位置ＰＡ１の位置情報のデータの内のＸ座標軸に対応する座標値をそのまま採用し、Ａ１点の位置情報のデータの内のＹ座標軸（図４参照）に対応する座標値は、第１基準位置ＰＡ１の位置情報のデータの内のＹ座標軸に対応する座標値に対して、Ｙ座標軸の正の方向に３ｍオフセットして得られる値として決定する。
【００６４】
また、制御部４００は、例えば、メモリ部４１０に格納されている第１工程Ｌ１における実際の走行軌跡の位置情報のデータの中から、植付作業終了によるトリガー信号を受け付けた地点の位置からＹ座標軸（図４参照）の正の方向に３ｍ戻った地点の位置を第２基準位置ＰＢ１として特定してその特定した地点の位置情報のデータを抽出し、その抽出したデータを利用して、第１工程Ｌ１における基準ラインを決定するために必要となるＡ１点（図４の符号Ａ１参照）とＢ１点（図４の符号Ｂ１参照）の内の、Ｂ１点の位置情報を決定する。
【００６５】
ここで、Ｂ１点の位置情報のデータの内のＸ座標軸（図４参照）に対応する座標値は、第２基準位置ＰＢ１の位置情報のデータの内のＸ座標軸に対応する座標値をそのまま採用し、Ｂ１点の位置情報のデータの内のＹ座標軸（図４参照）に対応する座標値は、第２基準位置ＰＢ１の位置情報のデータの内のＹ座標軸に対応する座標値に対して、Ｙ座標軸の負の方向に３ｍオフセットして得られる値として決定する。
【００６６】
なお、制御部４００は、第ｎ工程Ｌｎ（図４参照）においても、直線の目標ラインに沿った自動直進走行を行い、上記と同様に、第ｎ工程Ｌｎにおける第１基準位置ＰＡｎでの位置情報と第２基準位置ＰＢｎでの位置情報とを取得して、その取得した位置情報を利用して、第ｎ工程ＬｎにおけるＡｎ点（図４の符号Ａｎ参照）とＢｎ点（図４の符号Ｂｎ参照）の位置情報を決定する。
【００６７】
これにより、例えば、第１工程Ｌ１（又は、第ｎ工程Ｌｎ）における基準ラインを決定するために必要となるＡ１点（Ａｎ点）とＢ１点（Ｂｎ点）の位置情報を自動で取得することが出来るので、手動で取得する場合に比べて省力化につながる。
【００６８】
また、第ｎ工程Ｌｎにおける基準ラインを決定するために必要となるＡｎ点とＢｎ点の位置情報を自動で取得することが出来るので、作業者がロボット乗用田植機１に乗車していなくても、何れの工程においても基準ラインを新たに決定することが出来る。
【００６９】
また、上述した様に、本実施の形態では、第１工程Ｌ１（又は、第ｎ工程Ｌｎ）における基準ラインを決定するために必要となるＡ１点（又は、Ａｎ点）とＢ１点（又は、Ｂｎ点）の位置情報を、植付作業の開始地点と終了地点で取得する構成ではなく、植付作業の開始地点から３ｍ走行した地点の位置を第１基準位置ＰＡ１（又は、第ｎ工程Ｌｎにおける第１基準位置ＰＡｎ）として特定し、また、植付作業の終了地点から３ｍ手前となる地点の位置を第２基準位置ＰＢ１（又は、第ｎ工程Ｌｎにおける第２基準位置ＰＢｎ）として特定し、それら特定した位置の位置情報（座標値）を利用して、Ａ１点（又は、Ａｎ点）とＢ１点（又は、Ｂｎ点）の位置情報（座標値）を決定する構成である。
【００７０】
これにより、ロボット乗用田植機１の走行位置がある程度安定した位置の位置情報を利用して、Ａ１点（Ａｎ点）とＢ１点（Ｂｎ点）の位置情報を決定することが出来るので、基準ラインの精度が向上する。
【００７１】
また、制御部４００が、第１工程Ｌ１（又は、第ｎ工程Ｌｎ）での直線の基準ラインの位置情報（例えば、Ａ１点（Ａｎ点）と、Ｂ１点（Ｂｎ点）の位置情報）を利用して、次の植付け作業工程（即ち、第２工程Ｌ２（又は、第ｎ＋１工程Ｌｎ＋１））における、直線の目標ラインの位置情報を算出するやり方は、本実施の形態の様に８条植えのロボット乗用田植機１であれば、直前の工程の第１工程Ｌ１（又は、第ｎ工程Ｌｎ）での直線の基準ラインに平行で且つ、Ｘ座標軸（図４参照）の正の方向に、８条分の間隔に相当する距離（例えば、２４００ｍｍ）をオフセットした位置に直線の目標ラインを設定することにより実行される。
【００７２】
これにより、次工程の目標ラインの位置情報についてもズレを少なく出来る。
【００７３】
また、制御部４００による、次の植付け作業工程（即ち、第２工程Ｌ２（又は、第ｎ＋１工程Ｌｎ＋１））における植付作業開始位置と終了位置の座標値の決め方は、次の通りである。
【００７４】
即ち、次の植付け作業工程（即ち、第２工程Ｌ２（又は、第ｎ＋１工程Ｌｎ＋１））における植付作業開始位置の座標値の内のＹ座標値は、直前の第１工程Ｌ１（第ｎ工程Ｌｎ）におけるＢ１点（Ｂｎ点）の座標値の内のＹ座標値を利用し、また、同工程における植付作業開始位置の座標値の内のＸ座標値は、直前の第１工程Ｌ１（第ｎ工程Ｌｎ）におけるＢ１点（Ｂｎ点）の座標値の内のＸ座標値に対して、８条分の間隔に相当する距離（例えば、２４００ｍｍ）を加算した値として決定する。
【００７５】
また、次の植付け作業工程（即ち、第２工程Ｌ２（又は、第ｎ＋１工程Ｌｎ＋１））における植付作業終了位置の座標値の内のＹ座標値は、直前の第１工程Ｌ１（第ｎ工程Ｌｎ）におけるＡ１点（Ａｎ点）の座標値の内のＹ座標値を利用し、また、同工程における植付作業終了位置の座標値の内のＸ座標値は、直前の第１工程Ｌ１（第ｎ工程Ｌｎ）におけるＡ１点（Ａｎ点）の座標値の内のＸ座標値に対して、８条分の間隔に相当する距離（例えば、２４００ｍｍ）を加算した値として決定する。
【００７６】
なお、次の植付け作業工程（即ち、第２工程Ｌ２（又は、第ｎ＋１工程Ｌｎ＋１））における植付作業開始位置と、同工程における植付作業終了位置との２点を通る直線は、上述した、次の植付け作業工程（即ち、第２工程Ｌ２（又は、第ｎ＋１工程Ｌｎ＋１））における直線の目標ラインと一致するが、次の植付け作業工程（即ち、第２工程Ｌ２（又は、第ｎ＋１工程Ｌｎ＋１））における直線の基準ラインと一致するとは限らない。
【００７７】
また、制御部４００は、次の植付け作業工程（即ち、第２工程Ｌ２（又は、第ｎ＋１工程Ｌｎ＋１））における植付作業開始位置と、同工程における植付作業終了位置との２点を、ロボット乗用田植機１が直前の第１工程Ｌ１（又は、第ｎ工程Ｌｎ）に存在しているときに決定する。
【００７８】
また、制御部４００は、この様にして決定した植付作業開始位置、又は植付作業終了位置に、ロボット乗用田植機１が到達したと判定することで、植付作業を開始させ、又は、植付作業を終了させる。なお、第１工程Ｌ１での植付作業の開始、又は、終了は、ロボット乗用田植機１に乗車している作業者が植付作業レバー１４をマニュアル操作することにより実行される。
【００７９】
また、上記構成において、本実施の形態のロボット乗用田植機１による次工程への自動旋回は、制御部４００により次の様に実行される。
【００８０】
即ち、制御部４００は、第１工程Ｌ１では、作業者による植付作業レバー１４の操作により植付作業の「終了」を検知することで、第１工程Ｌ１での自動旋回開始位置として、Ｂ１点の座標値を利用し、また、自動旋回終了位置として、次の植付け作業工程（即ち、第２工程Ｌ２）における上述した、Ｂ１点の座標値から算出した植付作業開始位置の座標値を利用する。
【００８１】
なお、第１工程Ｌ１での自動旋回開始位置として、Ｂ１点の座標値を利用する場合に限らず例えば、制御部４００が、作業者による植付作業レバー１４の操作により植付作業の「終了」を検知した地点において、直ちに、第１工程Ｌ１での自動旋回開始を実行しても良い。
【００８２】
また、制御部４００は、第２工程Ｌ２（又は、第ｎ工程Ｌｎ）での自動旋回開始位置として、Ｂ２点（Ｂｎ点）の座標値を利用し、また、自動旋回終了位置として、次の植付け作業工程（即ち、第３工程Ｌ３（又は、第ｎ＋１工程Ｌｎ＋１））における、Ｂ２点（Ｂｎ点）の座標値から算出した植付作業開始位置の座標値を利用する。
【００８３】
これにより、本実施の形態の制御部４００は、例えば、ロボット乗用田植機１がＢ２点（又は、Ｂｎ点）のＹ座標値に到達したと判定すれば、植付作業を停止し、自動操舵装置２００に指令を出して自動で旋回を開始させ、ロボット乗用田植機１が次の植付け作業工程（即ち、第３工程Ｌ３（又は、第ｎ＋１工程Ｌｎ＋１））における植付作業開始位置から植付作業を開始出来る様に、自動操舵装置２００に指令を出して所定距離手間の地点で自動で旋回を停止させ、植付作業開始位置から植付作業を開始させる。
【００８４】
これにより、自動旋回と次工程における条合わせが自動で行える。
【００８５】
なお、本実施の形態の、第１工程Ｌ１（又は、第ｎ工程Ｌｎ）における第１基準位置ＰＡ１（又は、第ｎ工程Ｌｎにおける第１基準位置ＰＡｎ）の位置情報は、本発明の第１基準位置情報の一例にあたり、また、第１工程Ｌ１（又は、第ｎ工程Ｌｎ）における第２基準位置ＰＢ１（又は、第ｎ工程Ｌｎにおける第２基準位置ＰＢｎ）の位置情報は、本発明の第２基準位置情報の一例にあたる。
【００８６】
また、本実施の形態の、「植付作業の開始地点から３ｍ走行した地点」の「３ｍ」は、本発明の第１距離の一例にあたり、また、「植付作業の終了地点から３ｍ手前となる地点」の「３ｍ」は、本発明の第２距離の一例にあたる。
【００８７】
なお、本実施の形態のロボット乗用田植機１では、予備苗置台２５（図１、図２参照）の機体外側に空箱レール６００（図５（ａ）、図５（ｂ）参照）を設けても良い。
【００８８】
図５（ａ）は、機体の左側に設けられた予備苗置台２５に取り付けられた空箱レール６００を機体の左側から見た側面図であり、図５（ｂ）は、図５（ａ）に示す空箱レール６００を機体の前側から見た正面図である。
【００８９】
ここで、空箱レール６００は、図５（ａ）に示す様に、予備苗置台２５を展開した状態において、空状態の予備苗箱２６を、機体後方から機体前方（即ち、畦に居る補助者側）に向けて搬送するためのものであり、断面が円形状の線材等を用いて構成されている。
【００９０】
そのため、空箱レール６００の予備苗置台２５に対する取り付け高さが、機体前方側に行くに従い低くなる様に構成されていると共に、空箱レール６００の底部６１０、即ち空状態の予備苗箱２６を受ける部分自体が、側面視で、機体前方に向かうに従って下方に向けて傾斜させた構成である。また、前後方向に３つ配置された空箱レール６００の底部６１０は、全体として、側面視で、機体前方に向かうに従って連続的に下方に向けて傾斜している。
【００９１】
これにより、空状態の予備苗箱２６の確実な搬送を可能とし、逆流を防止出来る。
【００９２】
また、前後方向に３つ配置された空箱レール６００の底部６１０が、側面視で、機体前方に向かうに従って連続的に下方に向けて傾斜しているので、空状態の予備苗箱２６の搬送荷重を軽くすることが出来、省力化につながる。
【００９３】
また、底部６１０には、空状態の予備苗箱２６が滑りやすくするために、リブ状のキール６２１のついた樹脂製板状部材６２０が貼り付けられている。
【００９４】
これにより、空状態の予備苗箱２６の滑りが良くなり省力化につながる。
【００９５】
また、これにより、底部６１０の鉄製線材が、空状態の予備苗箱２６に直接触れることが無いので、摩耗による錆の発生を防止出来て、商品性が向上する。
【００９６】
また、キール６２１のついた樹脂製板状部材６２０に、更に、樹脂製のローラ（図示省略）を配置した構成としても良い。
【００９７】
これにより、空状態の予備苗箱２６の搬送荷重が軽くなり、空状態の予備苗箱２６を載せただけで、自重により機体前方側、即ち補助者側へ搬送することが出来るので、省力化につながる。
【００９８】
なお、上記実施の形態では、基準ラインの位置情報を植付け作業工程ごとに取得し、そのたびに、その植付け作業工程の次の工程における目標ラインの位置情報を決定する構成について説明したが、これに限らず例えば、基準ラインの位置情報を、３工程ごと又は４工程ごとに取得し、そのたびに、その植付け作業工程の２工程先又は３工程先までの各工程における目標ラインの位置情報を決定する構成としても良く、要するに、基準ラインの位置情報を隣接する工程ごとに取得する場合に限定されるものではなく、基準ラインの位置情報の取得を、マニュアル走行時の他に、何れかの工程における直進の自動走行時においても実行する構成であれば良い。
【００９９】
また、上記実施の形態では、「植付作業の開始地点から３ｍ走行した地点」と、「植付作業の終了地点から３ｍ手前となる地点」とを例に挙げて説明したが、距離については「３ｍ」に限定されるものではなく、走行位置がある程度安定しておりさえすれば、任意の距離で良い。
【０１００】
また、上記実施の形態では、位置情報取得装置３００による位置情報の取得の開始又は停止のトリガー信号の一つとして、植付作業レバー１４による植付作業入り／切りの操作信号を利用する場合について説明したが、これに限らず例えば、フロート５３に設けられているポテンショメータ（図示省略）を利用して、フロート５３が圃場面に接地したか否かをポテンショメータで検知し、その検知信号を利用する構成としても良く、トリガー信号としてどの様な信号を利用しても良い。
【０１０１】
また、上記実施の形態では、本発明の作業車両の一例として８条型のロボット乗用田植機１について説明したが、これに限らず例えば、４条植え、５条植え、或いは６条植え等の構成であっても良く、条数に限定されない。
【産業上の利用可能性】
【０１０２】
本発明によれば、自動走行のズレを低減することが出来、例えば、ロボット乗用田植機等として有用である。
【符号の説明】
【０１０３】
１    ロボット乗用田植機
２    走行車体
３    施肥装置
４    前輪
５    後輪
６    トランスミッションケース
７    メインフレーム
１４  植付作業レバー
３０  昇降リンク装置
４０  整地ローター
５０  植付装置
５１  植付具
２００  自動操舵装置
３００  位置情報取得装置
３１０  受信アンテナ
【図１】
2020000125.tif 000003
【図２】
2020000125.tif 000004
【図３】
2020000125.tif 000005
【図４】
2020000125.tif 000006
【図５】
2020000125.tif 000007